【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  光軸に沿って伝わる白色光のビームを、それぞれ第一、第二および第三の色を有する第一、第二および第三の成分に分離するよう配置された色分離システムであって、該システムは以下：
該光軸に沿って配置されそして第一の光学的厚さを有する第一の二色性フィルターであって、該第一の成分を該光軸に平行でなく第一路に沿って反射させ、そして該第二および第三の成分を透過させるように適合された、第一の二色性フィルター；
該光軸に沿って配置されそして第二の光学的厚さを有する第二の二色性フィルターであって、該第二の成分を該光軸に平行でなく第二路に沿って反射させ、そして該第一および第三の成分を透過させるように適合された、第二の二色性フィルター；
該第一路に配置された第一の収差補正エレメントであって、該第二の光学的厚さと等しい第三の光学的厚さを有する、第一の収差補正エレメント；および
該第二路に配置された第二の収差補正エレメントであって、該第一の光学的厚さと等しい第四の光学的厚さを有する、第二の収差補正エレメント、を備えるシステム。
【請求項２】  前記第一および第二の収差補正エレメントの少なくとも一つが、前記第一の光学的厚さの二分の一の厚さを有する透明板を備えるミラーである、請求項１に記載のシステム。
【請求項３】  前記第一路に沿って配置された光変調器であって、前記第一の成分を受光しそして変調するように構成された、光変調器をさらに備える、請求項１に記載のシステム。
【請求項４】  前記第二路に沿って配置された第二の光変調器であって、前記第二の成分を受光しそして変調するように構成された、第二の光変調器をさらに備える、請求項３に記載のシステム。
【請求項５】  前記第一および第二の二色性フィルターの後方に前記光軸に沿って配置された第三の光変調器であって、前記第三の成分を受光しそして変調するように構成された第三の光変調器をさらに備える、請求項４に記載のシステム。
【請求項６】  前記第一、第二および第三の光変調器が液晶を備える、請求項５に記載のシステム。
【請求項７】  前記第一、第二および第三の光変調器が、前記第一、第二および第三の成分を反射するように適合された第一、第二および第三の反射性表面をそれぞれ備える、請求項５に記載のシステム。
【請求項８】  前記第一および第二の二色性フィルターが交差する、請求項１に記載のシステム。
【請求項９】  前記光路に配置された偏光子および投射路に配置された検光子をさらに備える、請求項１のシステム。
【請求項１０】  前記検光子と前記第一の二色性フィルターの間の前記投射路に配置された二分の一波長板をさらに備える、請求項９に記載のシステム。
【請求項１１】画像プロジェクターであって、以下：
光源；
偏光子；
該光源と該偏光子の間に配置されたコリメーターレンズであって、該光源からの光を平行化し、該平行化光を該偏光子を通して照らすように構成されたコリメーターレンズ；
照明路に沿って該偏光子からの該平行化光を受光するために配置された光変調器、該平行化光を透過させるために配置された光弁；該光弁からの該平行化光を受光し、そして該照明路に平行でなく投射路に沿って該光弁を逆に通って該平行化光を反射するように構成された反射性表面；
該光弁からの反射された該平行化光を受光しそして検光するために該投射路に沿って配置された検光子；
反射されそして検光された該平行化光を受光するために該投射路に沿って配置された二色性フィルター；および
該検光子と該二色性フィルターの間に配置された二分の一波長板、を備える画像プロジェクター。
【請求項１２】  前記光弁が透過性液晶材料を備える、請求項１１に記載のプロジェクター。
【請求項１３】  前記偏光子が直線偏光子である、請求項１１に記載のプロジェクター。
【請求項１４】  前記検光子が直線偏光子である、請求項１１に記載のプロジェクター。
【請求項１５】  プロジェクターのための色分離システムであって、該システムは以下：
可視光を発光しそして照明路に沿って該光を放つ、光源；
該照明路に配置され、該光源から該光を受光しそして偏光して、第一の偏向の偏光を供給する、偏光子；
該偏光子から該偏光を受光し、そして該照明路に平行でなく投射路に沿って該光を反射するように構成された、反射性表面；
該投射路に沿って配置され、反射性表面からの反射光を受光しそして検光する、検光子であって、第二の偏向の反射光を透過するように構成される、検光子；および
該投射路に沿って配置され、そして該検光子からの光の偏向を該第一の偏向に変化させるように構成された二分の一波長板、を備えるシステム。
【請求項１６】  前記第一の偏向がＰ型であり、そして前記第二の偏向がＳ型である、請求項１５に記載のシステム。
【請求項１７】  前記偏光子からの前記偏光を分離するように構成された色セパレーターをさらに備える、請求項１５に記載のシステム。
【請求項１８】  前記色セパレーターが、再結合のための前記二分の一波長板からの前記光を受光するように構成された、請求項１７に記載のシステム。
【請求項１９】  画像をディスプレイ表面に投射する方法であって、該方法は以下：
光のビームを照明路に沿って向ける工程；
該ビームを複数の異なったカラービームに分離する工程；
該カラービームの各々を偏光する工程；
該カラービームの各々の選択された部分の偏向を変調する工程；
該照明路に平行でなく投射路に沿って該変調カラービームを反射する工程；
該変調カラービームを検光する工程；および
該検光カラービームを再結合する工程、を包含する方法。
【請求項２０】  画像をディスプレイ表面に投射する方法であって、該方法は以下：
光のビームを照明路に沿って向ける工程；
該ビームを複数の異なったカラービームに分離する工程；
該カラービームの各々を偏光する工程；
該カラービームの各々の選択された部分の偏向を変調する工程；
該変調カラービームを検光する工程；
該カラービームの少なくとも一つの偏向を回転する工程；および
該検光カラービームを再結合する工程、を包含する方法。
【請求項２１】  色分離および再結合システムであって、該システムは以下：
可視光のビームを発光するための光源；
該ビームを複数の異なったカラービームに分離するための手段；
該カラービームの各々を偏光するための手段；
該カラービームの各々の選択された部分の偏向を反射により変調するための手段；
該変調カラービームを検光するための手段；および
該検光カラービームを再結合するための手段、を備えるシステム。
【請求項２２】  請求項２１に従った色分離および再結合システムであって、前記変調カラービームを検光するための前記手段が偏光子である、システム。
【請求項２３】  請求項２１に従った色分離および再結合システムであって、前記検光カラービームの偏向を回転するための手段をさらに備える、システム。
【請求項２４】  画像プロジェクターであって、以下：
光源；
色セパレーター；
第一方向に沿って光を受光しそして該第一方向に並行でなく第二方向に沿って変調光を反射するために配置された反射性光変調器；および
該色セパレーターと該反射性光変調器の間に配置された偏光子、を備える画像プロジェクター。
【請求項２５】  前記反射性光変調器から反射された変調光を受光するために配置された検光子をさらに備える、請求項２４に記載の画像プロジェクター。
【請求項２６】  前記偏光子および前記検光子が、互いから分離されている、請求項２５に記載の画像プロジェクター。
【請求項２７】  前記偏光子および前記検光子が、それぞれ直線偏光子を備える、請求項２６に記載の画像プロジェクター。
【手続補正２】
【補正対象書類名】明細書
【補正対象項目名】００１７
【補正方法】変更
【補正の内容】
【００１７】
集光レンズ３１４からの光は、ＳＬＭ３１８に衝突する前に偏光子３１６を透過する。ひとつの実施態様では、偏光子３１６および検光子３２０は、Ｐｏｌａｒｏｉｄ  Ｃｏｒｐｏｒａｔｉｏｎから入手可能なＨＮ４２ＨＥ偏光材料から作られる。二分の一波長板３２２の好ましい例は、Ｌｏｎｇｍｏｎｔ，ＣｏｌｏｒａｄｏのＭｅａｄｏｗｌａｒｋ  Ｏｐｔｉｃｓから入手できる。当業者には明らかであるが、もちろん他の偏光子、検光子および二分の一波長板が使用され得る。「検光子」という用語は、その広義の意味において、ＳＬＭによるビームの変調を検出しまたはフィルタリングできる任意の装置を含むと理解される。
【手続補正３】
【補正対象書類名】明細書
【補正対象項目名】００１８
【補正方法】変更
【補正の内容】
【００１８】
図３に示すように、検光子３２０および偏光子３１６は、互いにそしてＳＬＭ３１８の面に平行である。照明路および投射路は、ＳＬＭ３１８の面に対して直交する仮想ラインに関して角度をなす。ひとつの実施態様では、照明路および投射路の光軸は、直角となる面（すなわち、図３のページの面において）を形成する。直交する表面と各光軸により形成される角度は１２°である。それゆえ、照明光束と投射光束を分離する全角度は２４°である。これを図３で示す。ここで照明路および投射路は、およそ等しい角度でＳＬＭ３１８と衝突しそしてＳＬＭ３１８から反射されることが示される。そして照明路および投射路は、このページと同一面においてＳＬＭ３１８の面に直交する仮想ラインに沿って存在している。１２°の角度は、二分の一波長板３２２のために十分なスペースを許容しそして照明光束を投射光束から分離して、このふたつの光束が別々に偏光されそして検光し得るように選択された。